(57)【要約】【課題】切屑が工具あるいはワークに絡みつくことを効果的に抑制することができ、かつ、切屑を容易に排出すること。【解決手段】旋盤は、ワークを保持して回転する主軸と、ワークを切削加工する工具を保持する複数の工具保持部を装着可能であり、回転することにより１つの工具保持部を定められた加工位置に割り出すタレットと、を有する本体部を備え、主軸に保持されて回転するワークと工具とを相対的に移動させることによりワークを切削加工する旋盤であって、複数の工具保持部のうち少なくとも１つは、工具の刃先を囲む開口部と、工具による切削加工時にワークから生じる切屑が開口部を介して入り込む空間部とを形成するカバーを備え、本体部は、空間部に接続されて切屑を排出先に案内する切屑排出路と、切屑排出路内の切屑を排出先に向けて送るための排出装置と、を備える。【選択図】図１
2020082279.tif 000002
【特許請求の範囲】
【請求項１】
ワークを保持して回転する主軸と、
ワークを切削加工する工具を保持する複数の工具保持部を装着可能であり、回転することにより１つの前記工具保持部を定められた加工位置に割り出すタレットと、を有する本体部を備え、
前記主軸に保持されて回転するワークと前記工具とを相対的に移動させることによりワークを切削加工する旋盤であって、
前記複数の工具保持部のうち少なくとも１つは、
前記工具の刃先を囲む開口部と、前記工具による切削加工時にワークから生じる切屑が前記開口部を介して入り込む空間部とを形成するカバーを備え、
本体部は、
前記空間部に接続されて前記切屑を排出先に案内する切屑排出路と、
前記切屑排出路内の前記切屑を前記排出先に向けて送るための排出装置と、を備える、旋盤。
【請求項２】
前記排出装置は、前記排出先側から前記切屑排出路内を吸引する吸引装置、又は前記カバー側から前記切屑排出路内に所定ガスを供給するガス供給装置である、請求項１に記載の旋盤。
【請求項３】
前記タレットは、前記本体部に設けられた軸部に対して回転可能であり、
前記切屑排出路は、前記空間部に接続されて前記タレットとともに回転する第１切屑排出路と、前記排出先まで延び、かつ前記加工位置に割り出された前記タレットの回転位置で前記第１切屑排出路と接続する第２切屑排出路と、を含む、請求項１又は請求項２に記載の旋盤。
【請求項４】
前記第２切屑排出路は、前記タレットの回転軸と交差する方向に延びるように、前記本体部に固定された非回転部材を貫通して設けられる、請求項３に記載の旋盤。
【請求項５】
前記カバーは、取り外し可能に前記工具保持部に取り付けられる、請求項１から請求項４のいずれか一項に記載の旋盤。
【請求項６】
前記空間部内及び前記切屑排出路内のうち一方又は双方の圧力を検出する圧力検出部を備える、請求項１から請求項５のいずれか一項に記載の旋盤。
【請求項７】
前記排出装置を制御する制御部を備え、
前記制御部は、前記圧力検出部の検出結果が所定値を超える場合に、前記排出装置を停止させる、請求項６に記載の旋盤。
【発明の詳細な説明】
【技術分野】
【０００１】
本発明は、旋盤に関する。
【背景技術】
【０００２】
旋盤を用いた切削加工では、ワークの材質等により、長く連なった連続型の切屑が発生することがある。連続型の切屑は、切削工具又はワークに絡みつき易い。切屑が切削工具又はワークに絡みつくと、ワークの被加工面を傷つけることがある。被加工面に傷がついたワークは、商品価値が低くなり、不良品となることもある。このため、旋盤では、切屑が切削工具又はワークに絡みつくことを防止することが要求されている。
【０００３】
特許文献１には、切削加工により発生する切屑を処理する手段を設けた旋盤が記載されている。この旋盤は、主軸に支持されて回転するワークに対し相対的に移動してワークを切削加工する加工手段を備える。この加工手段は、主軸に対して相対的に移動可能な移動部材に複数の工具が装着された刃物台を有し、各工具に工具側切屑案内手段を設け、加工位置に位置する工具の工具側切屑案内手段の出口に入口が整合するように移動部材に設けられた移動部材側切屑案内手段と、移動部材側切屑案内手段により案内された切屑を切断する切屑切断手段とを備える。
【先行技術文献】
【特許文献】
【０００４】
【特許文献１】特開２０１２−０５６０２０号公報
【発明の概要】
【発明が解決しようとする課題】
【０００５】
旋盤は、切屑が工具あるいはワークに絡みつくことを、さらに抑制することが求められている。本発明は、切屑が工具あるいはワークに絡みつくことを効果的に抑制することができ、かつ、切屑を容易に排出することが可能な旋盤を提供することを目的とする。
【課題を解決するための手段】
【０００６】
本発明の態様に係る旋盤は、ワークを保持して回転する主軸と、ワークを切削加工する工具を保持する複数の工具保持部を装着可能であり、回転することにより１つの工具保持部を定められた加工位置に割り出すタレットと、を有する本体部を備え、主軸に保持されて回転するワークと工具とを相対的に移動させることによりワークを切削加工する旋盤であって、複数の工具保持部のうち少なくとも１つは、工具の刃先を囲む開口部と、工具による切削加工時にワークから生じる切屑が開口部を介して入り込む空間部とを形成するカバーを備え、本体部は、空間部に接続されて切屑を排出先に案内する切屑排出路と、切屑排出路内の切屑を排出先に向けて送るための排出装置と、を備える。
【０００７】
また、排出装置は、排出先側から切屑排出路内を吸引する吸引装置、又はカバー側から切屑排出路内に所定ガスを供給するガス供給装置であってもよい。また、タレットは、本体部に設けられた軸部に対して回転可能であり、切屑排出路は、空間部に接続されてタレットとともに回転する第１切屑排出路と、排出先まで延び、かつ加工位置に割り出されたタレットの回転位置で第１切屑排出路と接続する第２切屑排出路と、を含んでもよい。また、第２切屑排出路は、タレットの回転軸と交差する方向に延びるように、本体部に固定された非回転部材を貫通して設けられてもよい。また、カバーは、取り外し可能に工具保持部に取り付けられてもよい。また、空間部内及び切屑排出路内のうち一方又は双方の圧力を検出する圧力検出部を備えてもよい。また、排出装置を制御する制御部を備え、制御部は、圧力検出部の検出結果が所定値を超える場合に、排出装置を停止させてもよい。
【発明の効果】
【０００８】
本発明の態様の旋盤によれば、切屑が工具あるいはワークに絡みつくことを抑制することができ、かつ切屑を容易に排出することができる。また、本発明の態様の旋盤によれば、タレットを有する旋盤において、簡単な構成で実施することができる。
【０００９】
また、排出装置が、排出先側から切屑排出路内を吸引する吸引装置、又はカバー側から切屑排出路内に所定ガスを供給するガス供給装置である構成では、切屑排出路内の切屑を効果的に排出することができ、切屑排出路内に切屑が詰まることを抑制することができる。また、タレットが、本体部に設けられた軸部に対して回転可能であり、切屑排出路は、空間部に接続されてタレットとともに回転する第１切屑排出路と、排出先まで延び、かつ加工位置に割り出されたタレットの回転位置で第１切屑排出路と接続する第２切屑排出路と、を含む構成では、タレットに設けられる複数の装着部のうちの任意の装着部に、切屑が入り込むカバーを有する工具保持部を装着することができる。また、この構成では、第１切屑排出路とカバーとが接続された状態で、タレットとともに回転するので、第１切屑排出路とカバーとの位置ずれを抑制することができる。
【００１０】
また、第２切屑排出路が、タレットの回転軸と交差する方向に延びるように本体部に固定された非回転部材を貫通して設けられる構成では、第２切屑排出路の形状がより直線に近い形状となって、切屑が流れやすくなるので、切屑排出路内に切屑が詰まることを抑制することができる。また、カバーが、取り外し可能に工具保持部に取り付けられる構成では、カバーを取り外すことができるため、工具保持部の工具を容易にメンテナンスできる。また、空間部内及び切屑排出路内のうち一方又は双方の圧力を検出する圧力検出部を備える構成では、空間部内あるいは切屑排出路内における切屑の詰まりの発生を迅速に検出することができるので、空間部内あるいは切屑排出路内に大量の切屑が詰まることを防止することができる。また、旋盤が排出装置を制御する制御部を備え、制御部が、圧力検出部の検出結果が所定値を超える場合に、排出装置を停止させる構成では、切屑が詰まった場合に排出装置を停止させることができるので、排出装置の不要な動作を抑制することができる。
【図面の簡単な説明】
【００１１】
【図１】本実施形態に係る旋盤の一例を示す斜視図である。
【図２】タレット及び工具保持部の一例を示す斜視図である。
【図３】旋盤の一例を示す正面図である。
【図４】（Ａ）から（Ｃ）は、工具保持部の一例を示す図である。（Ａ）は−Ｘ側から見た時の側面図である。（Ｂ）は工具の部分の拡大図である。（Ｃ）は、−Ｚ側から見た時の正面図である。
【図５】（Ａ）から（Ｃ）は、工具保持部の分解斜視図である。（Ａ）は斜め上方から見た時の斜視図である。（Ｂ）は斜め下方から見た時の斜視図である。（Ｃ）はカバーを外した状態を示す図である。
【図６】（Ａ）から（Ｃ）はカバーの一例を示す図である。（Ａ）は斜視図である。（Ｂ）は−Ｘ方向から見た時の側面図である。（Ｃ）は、図６（Ｂ）に示すＢ−Ｂ線に沿った断面を示す図である。
【図７】図４（Ａ）に示すＡ−Ａ線の断面図である。
【図８】タレットの動作の一例を示す図である。
【発明を実施するための形態】
【００１２】
以下、本発明の実施形態について図面を参照しながら説明する。ただし、本発明はこの形態に限定されない。また、図面においては実施形態を説明するため、一部分を大きく又は強調して記載するなど適宜縮尺を変更して表現している。以下の各図において、ＸＹＺ座標系を用いて図中の方向を説明する。このＸＹＺ座標系においては、水平面に平行な平面をＸＺ平面とする。このＸＺ平面において、後述する主軸４の回転軸ＡＸ１に沿った方向をＺ方向と表記し、Ｚ方向に直交する方向をＸ方向と表記する。また、ＸＺ平面に垂直な方向はＹ方向と表記する。Ｘ方向、Ｙ方向、及びＺ方向のそれぞれは、図中の矢印の指す方向が＋方向であり、矢印の指す方向とは反対の方向が−方向であるとして説明する。また、Ｘ方向、Ｙ方向、及びＺ方向のそれぞれについて、適宜、矢印の先の側を＋側（例、＋Ｘ側）と称し、その反対側を−側（例、−Ｘ側）と称す。
【００１３】
［実施形態］
図１は、本実施形態に係る旋盤の一例を示す斜視図である。図１は、−Ｚ側から見た時の斜視図である。図２は、タレット及び工具保持部の一例を示す斜視図である。図２は、＋Ｚ側から見た時の斜視図である。図３は、本実施形態に係る旋盤を＋Ｚ側から見た時の正面図である。
【００１４】
旋盤１は、本体部２を備える。本体部２は、フレーム３（図３参照）と、主軸４と、タレット５と、切屑排出路６と、排出装置７と、圧力検出部８と、を備える。また、旋盤１は、排出先１０（図３参照）と、制御部１１と、を備える。
【００１５】
フレーム３は、主軸４及びタレット５等の旋盤１の各部を支持する（図３参照）。主軸４は、ワークＷを保持して回転する（図１参照）。主軸４は、基端（−Ｚ側の端部）がフレーム３に支持され（図３参照）、フレーム３から＋Ｚ方向に沿って延びている。主軸４は、不図示の軸受、駆動部等によって、中心軸（回転軸）ＡＸ１周りに回転する（図１参照）。中心軸ＡＸ１は、Ｚ方向に平行である。
【００１６】
主軸４の先端（＋Ｚ側の端部）には、ワークＷを保持するチャック１３が配置される。チャック１３は、ワークＷを把握する把握爪１３ａを有する。把握爪１３ａは、主軸４の回転方向に沿って所定の間隔で複数配置されている。例えば、把握爪１３ａは、主軸４の中心軸ＡＸ１の軸周りに１２０°間隔で３つ配置される。各把握爪１３ａは、不図示のチャック駆動部により、主軸４の径方向において、主軸４の中心軸ＡＸ１に対して近接又は離間する方向に移動する。チャック１３は、把握爪１３ａが中心軸ＡＸ１に向かって移動する閉動作によってワークＷを把持し、把握爪１３ａが中心軸ＡＸ１に対して外側に移動する開動作によって、ワークＷの把持を解放する。ワークＷの概形は、例えば、円筒状あるいは円柱状等である。チャック１３は、中心軸ＡＸ１とワークＷの中心軸とがほぼ一致するように、ワークＷを把持する。主軸４の上記動作は、後述する制御部１１により制御される。
【００１７】
旋盤１は、主軸４に保持されて回転するワークＷと工具Ｔとを相対的に移動させることによりワークＷを切削加工する（図１参照）。
【００１８】
タレット５は、ワークＷを切削加工する工具Ｔを保持する。旋盤１は、タレット５に装着された工具Ｔにより、ワークＷを加工する。タレット５は、主軸４の軸線方向から外れて配置される。タレット５は、主軸４の＋Ｘ側に配置される（図３参照）。タレット５は、本体部２に設けられた軸部１５に取り付けられている。軸部１５の概形は円柱状である。軸部１５は、基端（−Ｚ側の端部）がフレーム３に支持され、フレーム３から＋Ｚ方向に沿って延びている。
【００１９】
タレット５は、軸部１５の先端（＋Ｚ側の端部）に取り付けられている。タレット５は、軸部１５の先端の外周部分に設けられている。タレット５は、軸部１５に対して回転可能である。タレット５は、軸部１５の中心軸ＡＸ２と同軸に配置される。中心軸ＡＸ２は、Ｚ方向と平行な方向である。
【００２０】
タレット５の周面には、後述する工具保持部１６を装着可能な装着部１７が複数設けられている。本実施形態では、タレット５が８つの装着部１７を有する例を説明するが、装着部１７の数は限定されず任意である。本実施形態のタレット５の概形は、＋Ｚ方向から見た時に８角形状である。装着部１７は、タレット５の中心軸ＡＸ２に対して放射状に８つ設けられている。
【００２１】
なお、本実施形態では、複数の装着部１７のうち１つの装着部１７に、工具保持部１６が装着される例を示すが、複数の装着部１７は、それぞれ、工具保持部１６を装着可能である。また、複数の装着部１７は、旋盤１において一般的に用いられる工具保持部を装着可能である。一般的な工具保持部としては、ワークＷに対して切削加工を施すバイト等の他、ドリルやエンドミル等の回転工具を保持する工具保持部が挙げられる。
【００２２】
また、タレット５は、不図示の軸受等により、軸部１５に対して回転可能に設けられている。タレット５は、回転駆動部２１を有する。回転駆動部２１は、モータ等の駆動装置である。タレット５は、回転駆動部２１の駆動により、軸部１５の中心軸ＡＸ２周りに回転する。タレット５が回転することにより、１つの工具保持部１６を定められた加工位置Ｐ１に割り出す。タレット５が回転することにより、タレット５に装着される複数の工具保持部１６から、切削加工に用いる所望の工具保持部１６を定められた加工位置Ｐ１に割り出すことができる。
【００２３】
また、軸部１５は、フレーム３に対して、少なくともＸ方向及びＺ方向に移動可能に構成されている。軸部１５は、駆動部２２により、Ｘ方向及びＺ方向に移動する。駆動部２２は、モータ等の駆動装置（駆動源）及び駆動力を伝達する駆動力伝達機構（図示せず）を含む。軸部１５の上記の移動は、制御部１１により制御される。タレット５は、軸部１５の上記の移動により、主軸４に対して相対的に移動する。なお、タレット５については、後にさらに説明する。なお、軸部１５は、Ｘ方向及びＺ方向に加えて、Ｙ方向にも移動可能な構成としてもよい。
【００２４】
図４（Ａ）から（Ｃ）は、工具保持部１６の一例を示す図である。図４（Ａ）は−Ｘ側から見た時の側面図である。図４（Ｂ）は工具Ｔの部分の拡大図である。図４（Ｃ）は、−Ｚ側から見た時の正面図である。図５（Ａ）から（Ｃ）は、工具保持部１６の分解斜視図である。図５（Ａ）は斜め上方から見た時の斜視図である。図５（Ｂ）は斜め下方から見た時の斜視図である。図５（Ｃ）はカバーを外した状態を示す図である。図６（Ａ）から（Ｃ）は、カバーの一例を示す図である。図６（Ａ）は斜視図である。図６（Ｂ）は−Ｘ方向から見た時の側面図である。図６（Ｃ）は、図６（Ｂ）に示すＢ−Ｂ線に沿った断面を示す図である。
【００２５】
本実施形態の旋盤１は、少なくとも１つの工具保持部１６を備える。この工具保持部１６は、図５（Ａ）から（Ｃ）に示すように、各部を支持する本体部２４と、工具Ｔを装着可能な工具装着部２５と、カバー２６と、を備える。本体部２４は、ねじ締結をする固定部１９により、タレット５の装着部１７に固定される（図４（Ａ）参照）。
【００２６】
工具Ｔは切削工具である。工具Ｔは、ワークＷを切削する刃を有するチップ３０と、チップ３０を保持するシャンク３１（バイトホルダ）と、を有する（図５（Ａ）、（Ｂ）参照）。チップ３０は、シャンク３１の−Ｚ側の端部に取り付けられている。工具Ｔ（チップ３０及びシャンク３１）は、工具装着部２５に装着される（図５（Ｃ）参照）。工具装着部２５は、シャンク３１の下方を支持する支持部３３を有する。工具装着部２５は、シャンク３１を位置決めして支持する（図５（Ｃ）参照）。工具Ｔは、ねじ締結をする固定部３４により、工具装着部２５に固定される。工具装着部２５は、シャンク３１を取り付ける位置を変更可能である。
【００２７】
チップ３０のすくい面は、切削時の切屑３５がチップ３０に対して＋Ｚ側に生じるように形成されている。工具装着部２５の支持部３３は、−Ｚ側（加工対象のワークＷ側）に傾斜部３３ａ（ガイド）を有している。傾斜部３３ａは、−Ｚ側から＋Ｚ側にかけて下方に傾斜する。傾斜部３３ａは、後述する切屑３５を＋Ｚ側且つ下方に導く。切屑３５が＋Ｚ側且つ下方に導かれることにより、切屑３５は空間部３８に入りやすくなる。
【００２８】
カバー２６は、本体部２４に取り付けられて、工具Ｔの刃先を囲む開口部３７（図１、図４（Ｃ）等参照）と、工具Ｔによる切削加工時にワークＷから生じる切屑３５が開口部３７を介して入り込む空間部３８（図４（Ａ）、図６（Ｂ）等参照）と、を形成する。
【００２９】
カバー２６は、−Ｚ側から見た時に、Ｌ字状の形状である（図６（Ａ）等参照）。カバー２６の形状がＬ字状である場合、容易に取り付けることができる。カバー２６は、ガイド２６ａを有する。ガイド２６ａは、カバー２６において、本体部２４側（＋Ｘ側）に形成される。ガイド２６ａは、ＸＺ平面と平行な矩形板状である。ガイド２６ａは、Ｚ方向に沿って設けられる。ガイド２６ａの−Ｚ側の端部は、本体部２４に取り付けた時に、支持部３３の−Ｚ側の端部と同様の位置に配置されるように形成されている。
【００３０】
カバー２６の底部２６ｃは、ＸＹ平面における断面がＶ字状に形成される（図６（Ｃ）参照）。カバー２６の底部２６ｃの断面がＶ字状に形成されることにより、切屑３５は下方に導かれる。切屑３５が下方に導かれることにより、切屑３５は空間部３８に入りやすくなる。カバー２６は、−Ｚ側の端部に、傾斜部２６ｂ（ガイド）を有する。傾斜部２６ｂは、−Ｚ側から＋Ｚ側に行くにしたがって下方に傾斜している。傾斜部２６ｂは、切屑３５を排出先１０側（＋Ｚ側）且つ下方に導く。切屑３５を＋Ｚ側且つ下方に導くことにより、切屑３５は空間部３８に入りやすくなる。
【００３１】
カバー２６は、取り外し可能に本体部２４に取り付けられる（図５（Ａ）、（Ｂ）参照）。カバー２６は、ねじ締結をする固定部４０により、本体部２４に取り付けられている（図４（Ａ）参照）。カバー２６が取り外し可能に工具保持部１６に取り付けられる構成の場合、カバー２６を取り外すことができるため、工具保持部１６の工具Ｔを容易にメンテナンスできる。
【００３２】
カバー２６は、本体部２４及び工具Ｔにほぼ密着した状態で取り付けられる。これにより、カバー２６の内部（本体部２４側）は、開口部３７以外が密閉された空間（空間部３８）となる。カバー２６は、その−Ｚ側の端部が本体部２４の−Ｚ側の端部とほぼ同様の位置になるように、本体部２４に取り付けられる。
【００３３】
カバー２６を本体部２４に取り付けた際、工具Ｔ（チップ３０）の刃先は、カバー２６及び本体部２４により囲まれる。工具Ｔの刃先の上方（＋Ｙ方向）、下方（−Ｙ方向）、及び側方（＋Ｘ方向及び−Ｘ方向）が、カバー２６及び本体部２４により囲まれる。また、カバー２６を本体部２４に取り付けた際、工具Ｔの刃先以外の部分（刃先よりも＋Ｚ側の部分）は、カバー２６及び本体部２４により密閉される。工具Ｔの刃先は、カバー２６を工具保持部１６に取り付けた状態において、本体部２４の端部から加工対象のワークＷ側（−Ｚ側）に突出するように配置される（図４（Ｂ）参照）。工具Ｔの刃先の突出量は、任意に設定可能であるが、例えば１ｍｍから５ｍｍ程度に設定される。
【００３４】
工具Ｔ（チップ３０）の刃先がカバー２６及び本体部２４により囲まれて、加工対象のワークＷ側（−Ｚ側）に開口する開口部３７が形成される（図１、図４（Ｃ）、図６（Ａ）参照）。開口部３７は、加工対象のワークＷ側（−Ｚ側）から見た時に、矩形状である（図１参照）。開口部３７が工具Ｔの刃先を囲むので、切屑３５は開口部３７を介してカバー２６内（本体部２４側、＋Ｘ側）の空間部３８に確実に導かれて、切屑３５がカバー２６から漏れることが抑制され、切屑３５を容易に排出することができる。
【００３５】
空間部３８は、カバー２６を本体部２４に取り付けた際に、カバー２６の内側（本体部２４側）に形成される空間である。空間部３８は、切屑３５の流路となる。空間部３８は、後述する第１切屑排出路６ａと接続され、切屑３５を第１切屑排出路６ａに案内する。空間部３８は、カバー２６を本体部２４に取り付けた際に、ガイド２６ａの下方にも形成される（図６（Ｂ）参照）。ガイド２６ａの下方の空間部３８は、本体部２４とガイド２６ａとカバー２６の底部２６ｃとにより形成される。ガイド２６ａの下方の空間部３８は、ＸＹ平面における断面が、野球に用いられるホームベースの形状となる（図６（Ｃ）参照）。
【００３６】
ガイド２６ａの上面及び支持部３３の下面は平面状に形成され、カバー２６を本体部２４に取り付けた状態において、ガイド２６ａの上面と支持部３３の下面とが密着する。この構成の場合、カバー２６の取り付け作業を容易に行うことができるとともに、切屑３５がガイド２６ａと工具装着部２５との間に入り込むことを抑制しつつ、切屑３５を空間部３８に確実に導くことができる。
【００３７】
切屑排出路６について説明する。切屑排出路６は、切屑３５を排出先１０（図２参照）に案内する。切屑排出路６は、第１切屑排出路６ａと、第２切屑排出路６ｂと、を備える（図２参照）。第１切屑排出路６ａ及び第２切屑排出路６ｂは、管状部材である。空間部３８は、第１切屑排出路６ａと接続される。空間部３８は、カバー２６及び第１切屑排出路６ａの端部に設けられたフランジ部材４２により、第１切屑排出路６ａと接続される（図６（Ａ）、（Ｂ）参照）。
【００３８】
図７は、図４（Ａ）に示すＡ−Ａ線の断面図である。図８は、タレット５の動作を示す図である。第１切屑排出路６ａは、空間部３８に接続されてタレット５とともに回転する（図８参照）。第１切屑排出路６ａは、タレット５とともに回転する回転部材４３に設けられている。回転部材４３は、非回転部材１８の外周部分に設けられる。非回転部材１８は、本体部２に固定されている。非回転部材１８は、接続部材２０を介して軸部１５に固定されて、タレット５が回転する際にも回転しない（図７参照）。非回転部材１８の外形は、端部がテーパ状である円柱状である（図２、図７参照）。非回転部材１８は、回転軸ＡＸ２と同軸に配置される。回転部材４３は、タレット５とともに回転軸ＡＸ２周りに回転する。なお、非回転部材１８は、本体部２に固定される構成であれば、上記の構成に限定されない。また、回転部材４３は、タレット５とともに回転する構成であれば、上記の構成に限定されない。
【００３９】
第２切屑排出路６ｂは、非回転部材１８に設けられる（図７参照）。非回転部材１８及び第２切屑排出路６ｂは、軸部１５の＋Ｚ側に設けられる。非回転部材１８及び第２切屑排出路６ｂは、タレット５が回転した場合にも、位置が固定される。第２切屑排出路６ｂは、タレット５の回転軸ＡＸ２と交差する方向に延びるように設けられ、非回転部材１８を貫通して設けられる（図７参照）。この構成の場合、第２切屑排出路６ｂの形状がより直線に近い形状となって、切屑３５が流れやすくなるので、切屑３５の詰まりを抑制することができる。
【００４０】
第２切屑排出路６ｂは、排出先１０まで延びている（図３参照）。第２切屑排出路６ｂは、タレット５から下方に延びている。排出先１０は、フレーム３（旋盤１）の外部に設けられる。切屑３５は、排出先１０に排出される。排出先１０は、タレット５の下方に配置される。排出先１０は、切屑３５を収容する容器である。切屑３５を排出先１０に排出する構成の場合、切屑３５を容易に処理することができる。
【００４１】
第２切屑排出路６ｂは、加工位置Ｐ１に割り出されたタレット５の回転位置で、第１切屑排出路６ａと接続される（図７、図４（Ａ）参照）。第１切屑排出路６ａと第２切屑排出路６ｂとは、ほぼ密着して接続される。また、第２切屑排出路６ｂは、加工位置Ｐ１以外に割り出されたタレット５の回転位置Ｐ２において、第１切屑排出路６ａとの接続が解除される（図８参照）。
【００４２】
旋盤１が上記の第１切屑排出路６ａ及び第２切屑排出路６ｂを含む構成では、タレット５の複数の装着部１７のうちの任意の装着部１７に、カバー２６を有する工具保持部１６を装着することができる。また、第１切屑排出路６ａとカバー２６とが接続された状態で、タレット５とともに回転するので、第１切屑排出路６ａとカバー２６との位置ずれを抑制することができる。
【００４３】
第１切屑排出路６ａと第２切屑排出路６ｂとが接続されることにより、カバー２６の空間部３８と第１切屑排出路６ａと第２切屑排出路６ｂとが接続され、これらは密閉された空間となる。この構成により、後述する排出装置７による力により、効果的に切屑３５を排出することができる。
【００４４】
排出装置７は、切屑排出路６内の切屑３５を排出先１０に向けて送る（図３参照）。排出装置７は、排出先１０側から切屑排出路６内を吸引する吸引装置７ａである。なお、排出装置７は、吸引装置７ａに限定されず、例えば、カバー２６側から切屑排出路６内に所定ガスを供給するガス供給装置（図示せず）の構成でもよい。
【００４５】
排出装置７が吸引装置７ａ又はガス供給装置である構成では、切屑排出路６内の切屑３５を効果的に排出することができ、切屑排出路６内に切屑３５が詰まることを抑制することができる。排出装置７の動作は、後述する制御部１１に制御される。排出装置７は、制御部１１の制御により、工具保持部１６による切削加工時に駆動する。
【００４６】
旋盤１は、空間部３８内及び切屑排出路６内のうち一方又は双方の圧力を検出する圧力検出部８を備える（図１参照）。圧力検出部８は圧力センサである。圧力検出部８は制御部１１に接続され、検出結果を制御部１１に送る。旋盤１が圧力検出部８を備える場合、空間部３８内あるいは切屑排出路６内における切屑３５の詰まりの発生を迅速に検出することができるので、空間部３８内あるいは切屑排出路６内に大量の切屑３５が詰まることを防止することができる。
【００４７】
制御部１１（図１参照）は、旋盤１の各部（例、駆動部２２、回転駆動部２１、排出装置７、圧力検出部８等）と接続され、旋盤１の各部を制御する。本実施形態では、制御部１１は、圧力検出部８の検出結果が所定値を超える場合に、排出装置７を停止させる。この所定値は、任意に設定可能である。圧力検出部８の検出結果が所定値を超える場合に、排出装置７を停止させる構成の場合、切屑３５が詰まった場合に、排出装置７を停止させることができるので、排出装置７の不要な動作を抑制することができる。なお、制御部１１は、圧力検出部８の検出結果が所定値を超える場合に、旋盤１の動作（例、加工動作）を停止させるように、各部を制御してもよい。
【００４８】
本実施形態の旋盤１の動作を説明する。ワークＷを加工する際、まず、タレット５を回転させるにより、加工に用いる工具Ｔが保持された工具保持部１６を加工位置Ｐ１に割り出す。工具保持部１６が加工位置Ｐ１に割り出されると、第１切屑排出路６ａと第２切屑排出路６ｂとが接続される。制御部１１は、工具保持部１６を加工位置Ｐ１に割り出し際に、吸引装置７ａ（排出装置７）を駆動させる。吸引装置７ａが駆動することにより、空間部３８、第１切屑排出路６ａ、及び、第２切屑排出路６ｂの内部が引圧となる。
【００４９】
次に、制御部１１は、加工プログラムに基づいて、ワークＷを加工する。制御部１１は、ワークＷを保持した主軸４を回転させ、主軸４に保持されて回転するワークＷとタレット５に保持された工具Ｔとを相対的に移動させることにより、ワークＷを切削加工する。
【００５０】
切削加工により生じた切屑３５は、図４（Ａ）に示すように、カバー２６により形成された開口部３７を介して空間部３８に入り込む。開口部３７が、上記したように工具Ｔの刃先を囲む構成であるので、切屑３５が開口部３７に容易に入り込み、切屑３５が開口部３７から漏れることが抑制される。空間部３８に入り込んだ切屑３５は、吸引装置７ａにより、空間部３８、第１切屑排出路６ａ、及び、第２切屑排出路６ｂの内部が引圧となっているので、容易に排出先１０（図３参照）に排出される。
【００５１】
以上説明したように、本実施形態の旋盤１は、ワークＷを保持して回転する主軸４と、ワークＷを切削加工する工具Ｔを保持する複数の工具保持部１６を装着可能であり、回転することにより１つの工具保持部１６を定められた加工位置Ｐ１に割り出すタレット５と、を有する本体部２を備え、主軸４に保持されて回転するワークＷと工具Ｔ（Ｔａ）とを相対的に移動させることによりワークＷを切削加工する旋盤１であって、複数の工具保持部１６のうち少なくとも１つは、工具Ｔの刃先を囲む開口部３７と、工具Ｔによる切削加工時にワークＷから生じる切屑３５が開口部３７を介して入り込む空間部３８とを形成するカバー２６を備え、本体部２は、空間部３８に接続されて切屑３５を排出先１０に案内する切屑排出路６と、切屑排出路６内の切屑３５を排出先１０に向けて送るための排出装置７と、を備える。この構成によれば、切屑３５が工具ＴあるいはワークＷに絡みつくことを効果的に抑制することができ、かつ、切屑３５を容易に排出することができる。また、本実施形態の旋盤１は、タレット５を有する旋盤においても簡単な構成で実施することができる。また、本実施形態の旋盤１は、上記した工具保持部１６等を既存の旋盤に後付することでも実施可能である。なお、旋盤１が上記以外の構成を備えるか否かは任意であり、例えば、旋盤１は上記以外の構成を備えなくてもよい。
【００５２】
なお、本発明の技術範囲は、上述の実施形態などで説明した態様に限定されるものではない。上述の実施形態などで説明した要件の１つ以上は、省略されることがある。また、上述の実施形態などで説明した要件は、適宜組み合わせることができる。また、法令で許容される限りにおいて、上述の実施形態などで引用した全ての文献の開示を援用して本文の記載の一部とする。
【００５３】
上述の説明では、旋盤１の一例として、１つの主軸４を有する旋盤を例に説明したが、この例に限定されない。例えば、旋盤１は、２つの主軸４を有する構成でもよい。
【００５４】
また、上述の説明では、主軸４の一例として、主軸４が固定型である例を説明したが、この例に限定されない。例えば、主軸４は、フレーム３に対して移動する構成でもよい。
【００５５】
また、上述の説明では、工具保持部１６及び工具Ｔの一例としてワークＷの端面（＋Ｚ側の面）を切削加工する切削工具の例を示したが、この例に限定されない。例えば、工具保持部１６は、ワークＷの円周面を加工する工具Ｔを保持する構成でもよい。
【００５６】
また、上述の説明では、カバー２６の一例として、図３から図５等に示す構成を例に説明したが、この例に限定されない。カバー２６の構成は、開口部３７と空間部３８とを形成する構成を含む構成であれば、任意である。例えば、カバー２６、開口部３７、及び空間部３８の形状は、それぞれ、任意である。
【００５７】
また、上述の説明では、切屑排出路６の一例として、第１切屑排出路６ａと、第２切屑排出路６ｂと、を備える例を説明したが、この例に限定されない。例えば、切屑排出路６は、第２切屑排出路６ｂを備えずに、第１切屑排出路６ａが排出先１０に接続される構成でもよい。
【００５８】
また、上述の説明では、排出先１０が１つの構成の例を説明したが、この例に限定されない。例えば、旋盤１は、排出先１０を複数備え、タレット５の回転位置に応じて排出先１０を切り替える構成でもよい。この構成の場合、工具保持部１６の種類に応じて、切屑３５の排出先１０を変えることができる。例えば、材質が異なる切屑３５の排出先１０を変えることにより、材質が異なる切屑３５を分別することができる。
【００５９】
なお、旋盤１は、カバー２６の空間部３８と第１切屑排出路６ａと第２切屑排出路６ｂとの間に、切屑３５を破断するチップブレーカーを備える構成としてもよい。
【符号の説明】
【００６０】
Ｗ・・・ワーク
Ｔ・・・工具
１・・・旋盤
２・・・本体部
３・・・フレーム
４・・・主軸
５・・・タレット
６・・・切屑排出路
６ａ・・・第１切屑排出路
６ｂ・・・第２切屑排出路
７・・・排出装置
７ａ・・・吸引装置
８・・・圧力検出部
１０・・・排出先
１１・・・制御部
１３・・・チャック
１５・・・軸部
１６・・・工具保持部
１７・・・装着部
１８・・・非回転部材
２１・・・回転駆動部
２２・・・駆動部
２５・・・工具装着部
２６・・・カバー
３０・・・チップ
３１・・・シャンク
３３・・・支持部
３３ａ・・・傾斜部
３５・・・切屑
３７・・・開口部
３８・・・空間部
４２・・・フランジ部材
４３・・・回転部材
ＡＸ１・・・中心軸、回転軸（主軸）
ＡＸ２・・・中心軸、回転軸（タレット）
Ｐ１・・・加工位置
【図１】
2020082279.tif 000003
【図２】
2020082279.tif 000004
【図３】
2020082279.tif 000005
【図４】
2020082279.tif 000006
【図５】
2020082279.tif 000007
【図６】
2020082279.tif 000008
【図７】
2020082279.tif 000009
【図８】
2020082279.tif 000010